(57)【要約】【目的】ネジとネジを締め付ける部材との間に筒状体ネジ保持具の端部が挟まることがなく、電動ドライバーを使用した場合、最後まで一気に締め付けることを可能とするドライバー用ネジ保持具を提供する。【構成】ドライバーの先端部に嵌着可能な軟質の筒状体からなり、該筒状体の内部にドライバーを用いて締め付けるネジを挿入、保持させて、締め付け作業時にネジがドライバーから外れないようにするために用いるネジ保持具において、前記筒状体のネジが挿入される部位がドライバーの回転で朝顔形に拡開可能となるよう該部位に縦方向のスリットを形成したことを特徴とする。【選択図】図３
2014233810.tif 000002
【特許請求の範囲】
【請求項１】
ドライバーの先端部に嵌着可能な軟質の筒状体からなり、該筒状体の内部にドライバーを用いて締め付けるネジなど（以下、単にネジという）を挿入、保持させて、締め付け作業時にネジがドライバーから外れないようにするために用いるネジ保持具において、前記筒状体のネジが挿入される部位が朝顔形に拡開可能となるよう該部位に縦方向のスリットを形成したことを特徴とするドライバー用ネジ保持具。
【請求項２】
前記筒状体のネジが挿入される部位に、少なくとも３個所にスリットを形成したことを特徴とする請求項１記載のドライバー用ネジ保持具。
【請求項３】
前記ドライバーが自動ネジ締めを行う電動ドライバーであることを特徴とする請求項1または２記載のドライバー用ネジ保持具。
【発明の詳細な説明】
【技術分野】
【０００１】
本発明は、ドライバー用ネジ保持具、詳しくは、ドライバー特に電動ドライバーの先端部に嵌着可能な軟質の筒状体からなり、該筒状体の内部にドライバーを用いて締め付けるネジなど（以下、単にネジという）を挿入、保持させて、締め付け作業時、特に締め付け作業開始までの間にネジがドライバーから外れないようにするために用いるネジ保持具に関する。
【背景技術】
【０００２】
ステンレス鋼製のネジ、銅やアルミニウム製のネジなど、マグネットの効かないネジをドライバーを用いて締め付ける場合、締め付け時に、ネジがドライバーから外れたり、落下したりするのを防止するために、ドライバーの先端部に嵌着可能なゴムや軟質のプラスチック製の筒状体からなり、該筒状体の内部にネジを挿入、保持させるようにしたネジ保持具が提案されている。
【０００３】
しかしながら、前記提案のネジ保持具においては、ドライバーによる部材へのネジ締め込みの最終段階において、ネジと部材との間、特にネジ頭と部材との間に筒状体ネジ保持具の端部が挟まり易いという問題点がある。自動ネジ締めを行う電動ドライバーの場合には、筒状体ネジ保持具の端部がネジと部材との間に挟まると、最後まで一気に締め付けができないという難点がある。
【先行技術文献】
【特許文献】
【０００４】
【特許文献１】特開２００７−２７６０９４号公報
【発明の概要】
【発明が解決しようとする課題】
【０００５】
本発明は、前記提案のドライバー用ネジ保持具において、ドライバーによる部材へのネジ締め込みの最終段階において、ネジと部材との間に筒状体ネジ保持具の端部が挟まるという問題を解消するためになされたものであり、その目的は、ネジと部材との間に筒状体ネジ保持具の端部が挟まることがなく、電動ドライバーを使用した場合には、最後まで一気に締め付けることを可能とするドライバー用ネジ保持具を提供することにある。
【課題を解決するための手段】
【０００６】
上記の目的を達成するための請求項１によるドライバー用ネジ保持具は、ドライバーの先端部に嵌着可能な軟質の筒状体からなり、該筒状体の内部にドライバーを用いて締め付けるネジを挿入、保持させて、締め付け作業時にネジがドライバーから外れないようにするために用いるネジ保持具において、前記筒状体のネジが挿入される部位が朝顔形に拡開可能となるよう該部位に縦方向のスリットを形成したことを特徴とする。
【０００７】
請求項２によるドライバー用ネジ保持具は、請求項１において、前記筒状体のネジが挿入される部位に、少なくとも３個所にスリットを形成したことを特徴とする。
【０００８】
請求項３によるドライバー用ネジ保持具は、請求項１または２において、前記ドライバーが自動ネジ締めを行う電動ドライバーであることを特徴とする。
【発明の効果】
【０００９】
本発明によれば、ドライバーによる部材へのネジ締め込みの最終段階において、ネジと部材との間に筒状体ネジ保持具の端部が挟まることがなく、電動ドライバーを使用した場合には、最後まで一気に締め付けることを可能とするドライバー用ネジ保持具が提供される。
【図面の簡単な説明】
【００１０】
【図１】本発明のドライバー用ネジ保持具１の内面輪郭が見えるように示した側面図である。
【図２】図１のドライバー用ネジ保持具１をドライバービット５の先端部に嵌着した図である。
【図３】図２の側面断面図である。
【図４】図３において、ネジ６を挿入、保持させた図である。
【図５】図４の状態からドライバービット５を回転させて、ネジ６を部材９に締め付けている図である。
【図６】ネジ６を部材９に最終段階まで締め付けた図である。
【発明を実施するための形態】
【００１１】
本発明のドライバー用ネジ保持具は、シリコンゴムなどの軟質のゴム、軟質のプラスチックから筒状体に形成されており、手動ドライバー、電動ドライバーのいずれにも適用することができる。図１に示すように、ドライバー用ネジ保持具１には、ネジ６が挿入される部位２が朝顔形に拡開可能となるよう部位２に縦方向のスリット４が形成される。部位２には少なくとも３個所にスリット４を形成するのが望ましく、スリット４を略等間隔に形成するのが部位２を朝顔形に拡開する上でさらに好ましい。
【００１２】
使用に際し、ドライバー用ネジ保持具１は、図２、図３に示すように、ドライバービット５の先端に嵌着され、ネジ締めに際して、図４に示すように、ネジ６をドライバー用ネジ保持具１の部位２に挿入する。この時、図４に示すように、スリット４により分割されて多又形状となっている部位２はやや拡開され、ネジ６は、拡開された部位２が図３のように閉じようとする力と軟質材からなる保持具１の材質特性の相互作用により部位２に保持される。この場合、ネジ保持具１の部位２の先端部に内側に折り曲げられた保持片３を設けておくことにより、ネジ６を安定して保持することができる。
【００１３】
ついで、電動ドライバーを例として説明すると、図５に示すように、ドライバーを矢印のように回転させると、多又形状の部位２は遠心力により朝顔形に拡開してネジ６から離れ、ドライバーとネジとの関係はネジ保持具が無い場合と同じ状態となるが、ネジ６のネジ込み部８は部材９に到達して締め付けを開始しており、ドライバーが部材９に対してネジ６を押圧している状態となっているため、ネジ６が外れたり、落下したりすることはない。
【００１４】
ネジ６を保持していた部位２がネジ６から離れるため、図６に示すように、最後まで一気に締め付けても、ネジ保持具１の先端がネジ６のネジ頭７と部材９との間に挟まることはない。ドライバーの回転が止まり締め付けが終了すると、多又形状の部位２は閉じ、ドライバーを部材９から引き抜いて締め付け作業は終了する。
【００１５】
ネジ保持具１、特に多又形状の部位２については、保持力を維持しながら比較的低い回転数でも遠心力で拡開し易くなるようにするために、材質、スリット４の本数、スリット４の形成形態を改変することができ、ドライバービット５に対するネジ保持具１の嵌着度合を高めるために、筒状体からなるネジ保持具１の形態を変更することができる。また、ネジ保持具１にネジ６をより保持し易くするために、部位２の内面に凹凸や突条を設けることもできる。
【００１６】
本発明によるドライバー用ネジ保持具の特徴は、締め付けの全工程においてネジを強固に保持するのではなく、保持を必要とする間だけ保持し、保持の必要が無くなった時点で保持具はネジから離れ、保持具がネジと部材の間に挟まるなどのトラブルを生じることなく、最後まで一気に締め付けを行うことができる点にある。
【００１７】
本発明によるドライバー用ネジ保持具は、軟質な材質で構成され、ネジを保持する部位がスリット４により分割されて多又形状となっているため、皿ネジ、なべネジ、六角ネジなどの異なるネジ形状のもの、異なるネジサイズ（Ｍ３ｍｍ〜Ｍ６ｍｍ程度）にも対応することができる。また、本発明のネジ保持具においては、ネジを緩めたり、取り外したりする作業も、ネジ保持具を付けたままで行うことが可能である。
【符号の説明】
【００１８】
１    ドライバー用ネジ保持具
２    ネジ保持具のネジが挿入される部位
３    保持片
４    スリット
５    ドライバービット
６    ネジ
７    ネジ頭
８    ねじ込み部
９    ネジを締め付ける部材
【図１】
2014233810.tif 000003
【図２】
2014233810.tif 000004
【図３】
2014233810.tif 000005
【図４】
2014233810.tif 000006
【図５】
2014233810.tif 000007
【図６】
2014233810.tif 000008